【手続補正書】
【提出日】平成25年6月17日(2013.6.17)
【手続補正１】
【補正対象書類名】特許請求の範囲
【補正対象項目名】全文
【補正方法】変更
【補正の内容】
【特許請求の範囲】
【請求項１】
使用者に音声信号を伝送するためのシステムであって、該システムは、
該使用者の蝸牛内に少なくとも部分的に配置するように構成される複数の電極を備える電極アレイと、
音源から該音声信号を受信するように構成される回路と、
該回路に連結され、複数の光パルスを含む多重化光信号を放出するように構成される少なくとも１つの光源と、
該多重化光を受信し、該光パルスに応じて該電極に電流を通すように構成される少なくとも１つの検出器と
を備える、システム。
【請求項２】
前記回路は、複数の光パルスの幅を決定するように構成され、各光パルスは、前記アレイの電極に対応し、該各光パルスの幅は、該対応するアレイの電極を通る電流の量に対応する、請求項１に記載のシステム。
【請求項３】
前記回路は、前記音声信号の周波数を決定するように構成され、該周波数は、前記アレイの電極に対応し、該回路は、該周波数のうちの１つ以上に応じて、各パルスの幅を決定するように構成される、請求項１に記載のシステム。
【請求項４】
前記少なくとも１つの光源は、複数の光源を備え、各光源は、前記アレイの１つの電極に対応し、必要に応じて、該複数の光源の各々は、複数の他の光源の波長から実質的に分離される波長を含む、光を放出するように構成されるか、または必要に応じて、該複数の光源は、少なくとも３つの光源を備え、前記電極アレイは、少なくとも３つの電極を備え、該少なくとも３つの光源の各々は、該アレイの該少なくとも３つの電極のうちの１つの電極に対応し、必要に応じて、該少なくとも３つの光源の各々は、該少なくとも３つの光源の他から実質的に分離される波長を含む光を放出するように構成され、各源の該波長は、該少なくとも３つのうちの１つの電極に対応する、請求項１に記載のシステム。
【請求項５】
前記少なくとも１つの検出器は、複数の検出器を備え、該複数の各検出器は、前記アレイの１つの電極に対応し、必要に応じて、該複数の光検出器は、少なくとも３つの光検出器を備え、前記電極アレイは、少なくとも３つの電極を備え、該少なくとも３つの光検出器の各々は、該アレイの該少なくとも３つの電極のうちの１つの電極に対応する、請求項１に記載のシステム。
【請求項６】
前記多重化光信号を受信するように構成される光学構造をさらに備え、該光学構造は、中耳における配置のために構成され、該光学構造は、該多重化信号の波長を選択するように構成され、必要に応じて、該光学構造は、該中耳における配置のために、鼓膜における切開部を通過するようにサイズ決定され、前記電極アレイは、前記蝸牛の円形の窓を通して該蝸牛の少なくとも部分的に内側に配置するためにサイズ決定され、必要に応じて、該光学構造は、光学フィルタ、回折格子、エタロン、複数の光ファイバ、またはプリズムのうちの少なくとも１つを備えるか、あるいは必要に応じて、該多重化光信号は、複数の光チャネルを備え、該複数の光チャネルのうちの各光チャネルは、前記音の少なくとも１つの周波数に対応する、請求項１に記載のシステム。
【請求項７】
前記多重化光信号は、前記使用者の前記鼓膜を通して少なくとも１つの光検出器に伝送され、該少なくとも１つの光検出器は、前記中耳に装着され、少なくとも部分的に前記蝸牛内に配置される電極アレイに連結され、必要に応じて、該少なくとも１つの光検出器および該電極アレイは、該鼓膜における切開部を通過するようにサイズ決定され、必要に応じて、該多重化光信号は、波長多重化光信号を含み、該波長多重化光信号は、各波長が該アレイの電極に対応するように複数の波長を含み、必要に応じて、該複数の各波長は、該アレイの電極に対応するか、または必要に応じて、該複数の波長は、少なくとも３つの波長を含み、該複数の電極は、少なくとも３つの電極を備え、該複数の各波長は、該少なくとも３つの電極のうちの１つの電極に対応する、請求項１〜６のいずれか１項に記載のシステム。
【請求項８】
前記回路は、前記アレイの電極に対応するように、一連の前記光パルスを伝送するように構成される、請求項１に記載のシステム。
【請求項９】
前記一連の光パルスは、複数のパルスを含み、該複数の各パルスは、前記複数のうちの１つの電極に対応し、必要に応じて、前記複数の電極は、少なくとも３つの電極を備え、該一連の光パルスは、少なくとも３つのパルスを含み、該少なくとも３つのパルスの各パルスは、該少なくとも３つの電極のうちの１つの電極に対応する、請求項８に記載のシステム。
【請求項１０】
前記一連の光パルスは、タイミングパルスを含み、必要に応じて、該タイミングパルスは、実質的に一定の幅を含み、該タイミングパルスは、前記複数の電極に連結される回路に電力供給するためのエネルギーを含み、必要に応じて、該一連の光パルスのうちの各パルスが、該複数の電極のうちの１つの電極に対応するように、前記少なくとも１つの検出器に連結されて、該タイミングパルスに応じて該複数の電極のうちの各電極を該少なくとも１つの検出器に連続的に連結するスイッチング回路をさらに備える、請求項８に記載のシステム。
【請求項１１】
前記電極アレイ、前記少なくとも１つの光検出器、およびデマルチプレクサは、前記使用者に埋め込まれているときのＭＲＩ造影のために構成される、実質的に非磁性の材料を備える、請求項１に記載のシステム。
【請求項１２】
前記音は、位相を含み、前記光信号は、少なくとも約１０ｋＨｚの周波数で伝送される、幅変調光パルスを含み、各光パルスは、前記蝸牛が前記光パルスを復調し、前記音の前記位相が維持されるように、前記蝸牛内で電流を生成する、請求項１に記載のシステム。
【請求項１３】
前記幅変調光パルスは、各チャネルに対する一連の幅変調パルスを含み、該各チャネルの該一連の幅変調パルスは、前記使用者が前記音を聞くときに、該音の前記位相を維持するために少なくとも約１０ｋＨｚの周波数を含み、必要に応じて、該各一連の幅変調パルスの該周波数は、該使用者が該音を聞くときに、該音の該位相を維持するために少なくとも約２０ｋＨｚを含むか、または必要に応じて、前記複数のチャネルは、少なくとも約８つのチャネルを備え、前記幅変調光パルスの前記周波数は、少なくとも約１６０ｋＨｚを含む、請求項１２に記載のシステム。
【請求項１４】
各チャネルの前記一連の幅変調パルスのうちの前記パルスは、パルスのパケットのシーケンスを形成するように組み合わされ、各パケットは、各一連の幅変調パルスからの１つのパルスを含む、請求項１３に記載のシステム。
【手続補正２】
【補正対象書類名】明細書
【補正対象項目名】０００８
【補正方法】変更
【補正の内容】
【０００８】
本発明は、例えば、以下を提供する：
（項目１）
組織を刺激する方法であって、
該組織を刺激するために多重化光信号を伝送すること
を含む、方法。
（項目２）
使用者の蝸牛に音を伝送する方法であって、該使用者は、組織を有し、該方法は、
該使用者が、該組織を通して伝送される多重化光信号に応じて該音を聞くように、該使用者の該組織を通して該多重化光信号を伝送すること
を含む、方法。
（項目３）
前記組織は、鼓膜の組織を含む、項目２に記載の方法。
（項目４）
前記多重化光信号は、中耳によって支持される光学構造に伝送され、該光学構造は、該蝸牛を刺激するために該多重化信号の波長を分離するように構成される、項目２に記載の方法。
（項目５）
前記光学構造は、前記中耳に装着される、項目４に記載の方法。
（項目６）
前記光学構造は、中耳腔に配置するために、鼓膜における切開部を通過するようにサイズ決定される、項目４に記載の方法。
（項目７）
前記光学構造は、光学フィルタ、光ファイバ、回折格子、エタロン、複数の光ファイバ、導波路、複数の導波路、ミラー、またはプリズムのうちの少なくとも１つを備える、項目４に記載の方法。
（項目８）
前記多重化光信号は、複数のチャネルを備え、該複数のチャネルのうちの各チャネルは、前記音の少なくとも１つの周波数に対応する、項目４に記載の方法。
（項目９）
前記複数のチャネルは、少なくとも約１６個のチャネルに対応し、前記少なくとも１つの周波数は、少なくとも約１６個の周波数に対応する、項目８に記載の方法。
（項目１０）
前記多重化光信号は、複数の光源を用いて前記鼓膜を通して伝送され、該光源が前記少なくとも１つの音の周波数に対応するように、各光源は、前記複数のチャネルのうちの前記チャネルに対応する光信号を伝送するように構成される、項目８に記載の方法。
（項目１１）
前記複数の光源は、少なくとも３つの光源を備え、該少なくとも３つの光源の各々は、別々の光波長を放出するように構成される、項目１０に記載の方法。
（項目１２）
前記複数のチャネルの各々は、一対の電極に対応し、第１の電流は、第１の幅変調光パルスに応じて該一対の電極間を移動し、第２の電流は、第２の幅変調光パルスに応じて該一対の電極間を移動し、該第１の電流は、該第２の電流と逆であり、該第１の電流は、該第１のパルスの第１の幅に対応する第１の量を有し、該第２の電流は、該第２のパルスの第２の幅に対応する第２の量を有し、該第１のパルスの幅は、整流を阻止し、第１の電極と第２の電極との間の電荷移動の平衡を保つために、該第２のパルスの幅に対応する、項目８に記載の方法。
（項目１３）
前記第１の光パルスは、第１の検出器に連結される第１の光波長を含み、前記第２の光パルスは、第２の検出器に連結される第２の光波長を含む、項目１２に記載の方法。
（項目１４）
前記多重化光信号は、前記使用者の鼓膜を通して少なくとも１つの光検出器まで伝送され、該少なくとも１つの光検出器は、中耳に装着され、少なくとも部分的に前記蝸牛内に配置される電極アレイに連結される、項目２に記載の方法。
（項目１５）
前記少なくとも１つの光検出器および少なくとも１つの電極アレイは、前記鼓膜における切開部を通過するようにサイズ決定される、項目１４に記載の方法。
（項目１６）
前記多重化光信号は、波長多重化光信号を含み、該波長多重化光信号は、各波長が前記アレイの電極に対応するように複数の波長を含む、項目１４に記載の方法。
（項目１７）
前記複数の波長のうちの各波長は、前記アレイの電極に対応する、項目１６に記載の方法。
（項目１８）
前記少なくとも１つの光検出器は、複数の光検出器を備え、該複数の光検出器のうちの各光検出器は、組織刺激電流が組織刺激波長に応じて前記電極を通過させられるように、前記アレイの対応する電極および前記複数の対応する波長に連結される、項目１６に記載の方法。
（項目１９）
各検出器に対応するように前記波長を分離するために、および各検出器に対応する各分離した波長が、該波長に基づいて該各検出器に伝送されるように、前記使用者の前記中耳の中に配置される光学構造をさらに備える、項目１８に記載の方法。
（項目２０）
前記使用者の前記中耳の中に配置される複数の光学フィルタをさらに備え、前記波長は、該光学フィルタを用いて分離され、各光学フィルタは、１つの検出器を覆って配置され、該１つの検出器に連結される前記電極に対応する前記波長を通過させるように構成される、項目１８に記載の方法。
（項目２１）
各電極に対応するように、各検出器の前記波長を選択するように構成される回折格子をさらに備える、項目１８に記載の方法。
（項目２２）
前記多重化光信号は、時分割多重化信号を含む、項目１４に記載の方法。
（項目２３）
前記時分割多重化信号は、複数のタイムスロットを含み、該複数のタイムスロットのうちの各タイムスロットは、前記アレイの電極に対応する、項目２２に記載の方法。
（項目２４）
前記時分割多重化信号は、前記複数のタイムスロットおよびクロック信号を含み、回路は、各タイムスロットが前記アレイの前記電極に対応するように、該アレイの該電極の間で該クロック信号を受信し、該時分割多重化信号を分割するように、前記少なくとも１つの光検出器および該電極アレイに連結される、項目２３に記載の方法。
（項目２５）
各タイムスロットは、電流が、該タイムスロットに対応する前記多重化信号の一部分に応じて各電極を通過させられるように、前記音の少なくとも１つの周波数に対応する、項目２４に記載の方法。
（項目２６）
前記時分割多重化信号は、前記複数のタイムスロットのうちの各タイムスロットが、該タイムスロットに対応する前記電極を通る電流に対応する持続時間を有する光パルスを有するように、パルス幅変調される、項目２５に記載の方法。
（項目２７）
前記多重化光信号は、前記蝸牛の中へと延在する少なくとも１つの光ファイバに伝送される、項目２に記載の方法。
（項目２８）
前記少なくとも１つの光ファイバは、前記中耳における切開部を通過するようにサイズ決定される、項目２７に記載の方法。
（項目２９）
前記少なくとも１つの光ファイバは、前記蝸牛の中へと延在する複数の光ファイバを備え、各ファイバは、前記音の少なくとも１つの周波数に対応する、項目２７に記載の方法。
（項目３０）
各ファイバは、前記音の前記少なくとも１つの周波数に応じて、対応する周波数範囲に対応する前記蝸牛の所定の位置において該蝸牛を刺激するように構成される、項目２７に記載の方法。
（項目３１）
前記多重化光信号は、前記鼓膜における開口部または窓のうちの少なくとも１つを通して伝送される、項目２に記載の方法。
（項目３２）
電極アレイ、少なくとも１つの光検出器、およびデマルチプレクサは、前記使用者に埋め込まれているときのＭＲＩ造影のために構成される実質的に非磁性の材料を備える、項目２に記載の方法。
（項目３３）
前記音は、位相を含み、前記光信号は、少なくとも約１０ｋＨｚの周波数で伝送される幅変調光パルスを含み、各光パルスは、前記蝸牛が該光パルスを復調し、該音の該位相が維持されるように該蝸牛内で電流を生成する、項目２に記載の方法。
（項目３４）
前記幅変調光パルスは、各チャネルに対する一連の幅変調パルスを含み、該各チャネルの該一連の幅変調パルスは、前記使用者が前記音を聞くときに、該音の前記位相を維持するように少なくとも約１０ｋＨｚの周波数を含む、項目３３に記載の方法。
（項目３５）
前記各一連の幅変調パルスの前記周波数は、前記使用者が前記音を聞くときに、該音の前記位相を維持するように少なくとも約２０ｋＨｚの周波数を含む、項目３４に記載の方法。
（項目３６）
前記複数のチャネルは、少なくとも約８つのチャネルを備え、前記幅変調光パルスの前記周波数は、少なくとも約１６０ｋＨｚを含む、項目３５に記載の方法。
（項目３７）
各チャネルの前記一連の幅変調パルスのうちの前記パルスは、パルスのパケットのシーケンスを形成するように組み合わされ、各パケットは、各一連の幅変調パルスからの１つのパルスを含む、項目３４に記載の方法。
（項目３８）
前記少なくとも１つの光検出器は、前記中耳腔に配置されて、前記鼓膜の後方部分を通して前記多重化光信号を受信する、項目２に記載の方法。
（項目３９）
組織を刺激するシステムであって、該システムは、
該組織内に少なくとも部分的に配置するために構成される複数の電極と、
源から信号を受信するように構成される回路と、
該回路に連結され、複数の光パルスを含む多重化光信号を放出するように構成される少なくとも１つの光源と、
該組織を刺激するために、該多重化光を受信し、該光パルスに応じて該電極に電流を通すように構成される少なくとも１つの光検出器と
を備える、システム。
（項目４０）
使用者に音声信号を伝送するためのシステムであって、該システムは、
該使用者の蝸牛内に少なくとも部分的に配置するように構成される複数の電極を備える電極アレイと、
音源から該音声信号を受信するように構成される回路と、
該回路に連結され、複数の光パルスを含む多重化光信号を放出するように構成される少なくとも１つの光源と、
該多重化光を受信し、該光パルスに応じて該電極に電流を通すように構成される少なくとも１つの検出器と
を備える、システム。
（項目４１）
前記回路は、複数の光パルスの幅を決定するように構成され、各光パルスは、前記アレイの電極に対応し、該各光パルスの幅は、該対応するアレイの電極を通る電流の量に対応する、項目４０に記載のシステム。
（項目４２）
前記回路は、前記音声信号の周波数を決定するように構成され、該周波数は、前記アレイの電極に対応し、該回路は、該周波数のうちの１つ以上に応じて、各パルスの幅を決定するように構成される、項目４０に記載のシステム。
（項目４３）
前記少なくとも１つの光源は、複数の光源を備え、各光源は、前記アレイの１つの電極に対応する、項目４０に記載のシステム。
（項目４４）
前記複数の光源の各々は、前記複数の他の光源の波長から実質的に分離される波長を含む、光を放出するように構成される、項目４３に記載のシステム。
（項目４５）
前記複数の光源は、少なくとも３つの光源を備え、前記電極アレイは、少なくとも３つの電極を備え、該少なくとも３つの光源の各々は、該アレイの該少なくとも３つの電極のうちの１つの電極に対応する、項目４３に記載のシステム。
（項目４６）
前記少なくとも３つの光源の各々は、該少なくとも３つの光源の他から実質的に分離される波長を含む光を放出するように構成され、各源の前記波長は、該少なくとも３つのうちの１つの電極に対応する、項目４５に記載のシステム。
（項目４７）
前記少なくとも１つの検出器は、複数の検出器を備え、該複数の各検出器は、前記アレイの１つの電極に対応する、項目４０に記載のシステム。
（項目４８）
前記複数の光検出器は、少なくとも３つの光検出器を備え、前記電極アレイは、少なくとも３つの電極を備え、該少なくとも３つの光検出器の各々は、該アレイの該少なくとも３つの電極のうちの１つの電極に対応する、項目４７に記載のシステム。
（項目４９）
前記多重化光信号を受信するように構成される光学構造をさらに備え、該光学構造は、前記中耳における配置のために構成され、該光学構造は、該多重化信号の波長を選択するように構成される、項目４０に記載のシステム。
（項目５０）
前記光学構造は、前記中耳における配置のために、前記鼓膜における切開部を通過するようにサイズ決定され、前記電極アレイは、前記蝸牛の円形の窓を通して該蝸牛の少なくとも部分的に内側に配置するためにサイズ決定される、項目４９に記載のシステム。
（項目５１）
前記光学構造は、光学フィルタ、回折格子、エタロン、複数の光ファイバ、またはプリズムのうちの少なくとも１つを備える、項目４９に記載のシステム。
（項目５２）
前記多重化光信号は、複数の光チャネルを備え、該複数の光チャネルのうちの各光チャネルは、前記音の少なくとも１つの周波数に対応する、項目４９に記載のシステム。
（項目５３）
前記複数の光チャネルは、少なくとも約１６個のチャネルに対応し、前記少なくとも１つの周波数は、少なくとも約１６個の周波数に対応する、項目５２に記載のシステム。
（項目５４）
前記使用者の外耳道内に少なくとも部分的に配置するために構成される細長い光伝送構造をさらに備え、該細長い光伝送構造は、前記鼓膜を通して多重化光信号を伝送するように構成される、項目５２に記載のシステム。
（項目５５）
前記多重化光信号は、前記使用者の前記鼓膜を通して少なくとも１つの光検出器に伝送され、該少なくとも１つの光検出器は、前記中耳に装着され、少なくとも部分的に前記蝸牛内に配置される電極アレイに連結される、項目４０に記載のシステム。
（項目５６）
前記少なくとも１つの光検出器および前記電極アレイは、前記鼓膜における切開部を通過するようにサイズ決定される、項目５５に記載のシステム。
（項目５７）
前記多重化光信号は、波長多重化光信号を含み、該波長多重化光信号は、各波長が前記アレイの電極に対応するように複数の波長を含む、項目５５に記載のシステム。
（項目５８）
前記複数の各波長は、前記アレイの電極に対応する、項目５７に記載のシステム。
（項目５９）
前記複数の波長は、少なくとも３つの波長を含み、前記複数の電極は、少なくとも３つの電極を備え、前記複数の各波長は、前記少なくとも３つの電極のうちの１つの電極に対応する、項目５７に記載のシステム。
（項目６０）
前記回路は、前記アレイの電極に対応するように、一連の前記光パルスを伝送するように構成される、項目４０に記載のシステム。
（項目６１）
前記一連の光パルスは、複数のパルスを含み、該複数の各パルスは、前記複数のうちの１つの電極に対応する、項目６０に記載のシステム。
（項目６２）
前記複数の電極は、少なくとも３つの電極を備え、前記一連の光パルスは、少なくとも３つのパルスを含み、該少なくとも３つのパルスの各パルスは、該少なくとも３つの電極のうちの１つの電極に対応する、項目６１に記載のシステム。
（項目６３）
前記一連の光パルスは、タイミングパルスを含む、項目６０に記載のシステム。
（項目６４）
前記タイミングパルスは、実質的に一定の幅を含み、該タイミングパルスは、前記複数の電極に連結される回路に電力供給するためのエネルギーを含む、項目６３に記載のシステム。
（項目６５）
前記一連の光パルスのうちの各パルスが、前記複数の電極のうちの１つの電極に対応するように、前記少なくとも１つの検出器に連結されて、前記タイミングパルスに応じて該複数の電極のうちの各電極を該少なくとも１つの検出器に連続的に連結するスイッチング回路をさらに備える、項目６３に記載のシステム。
（項目６６）
前記一連のパルスは、該パルスの所定の順序およびタイミングを含み、前記スイッチング回路は、該一連のパルスに対応するために、スイッチを開放および閉鎖するように該スイッチに連結されるタイマを備える、項目６５に記載のシステム。
（項目６７）
前記一連のパルスは、少なくとも３つのパルスを含み、前記スイッチング回路は、該一連パルスのうちの各パルスが前記複数の電極のうちの１つの電極に対応するように、少なくとも１つの検出器を該少なくとも３つの電極の各電極に連続的に連結するように構成される、項目６５に記載のシステム。
（項目６８）
前記電極アレイ、前記少なくとも１つの光検出器、および前記デマルチプレクサは、前記使用者に埋め込まれているときのＭＲＩ造影のために構成される、実質的に非磁性の材料を備える、項目４０に記載のシステム。
（項目６９）
前記音は、位相を含み、前記光信号は、少なくとも約１０ｋＨｚの周波数で伝送される、幅変調光パルスを含み、各光パルスは、前記蝸牛が前記光パルスを復調し、前記音の前記位相が維持されるように、前記蝸牛内で電流を生成する、項目４０に記載のシステム。
（項目７０）
前記幅変調光パルスは、各チャネルに対する一連の幅変調パルスを含み、該各チャネルの該一連の幅変調パルスは、前記使用者が前記音を聞くときに、該音の前記位相を維持するために少なくとも約１０ｋＨｚの周波数を含む、項目６９に記載のシステム。
（項目７１）
前記各一連の幅変調パルスの前記周波数は、前記使用者が前記音を聞くときに、該音の該位相を維持するために少なくとも約２０ｋＨｚを含む、項目７０に記載のシステム。
（項目７２）
前記複数のチャネルは、少なくとも約８つのチャネルを備え、前記幅変調光パルスの前記周波数は、少なくとも約１６０ｋＨｚを含む、項目７１に記載のシステム。
（項目７３）
各チャネルの前記一連の幅変調パルスのうちの前記パルスは、パルスのパケットのシーケンスを形成するように組み合わされ、各パケットは、各一連の幅変調パルスからの１つのパルスを含む、項目７０に記載のシステム。
（項目７４）
前記複数のチャネルのうちの各々は、一対の電極に対応し、第１の電流は、第１の幅変調光パルスに応じて該一対の電極間を移動し、第２の電流は、第２の幅変調光パルスに応じて、該一対の電極間を移動し、該第１の電流は、該第２の電流と逆であり、該第１の電流は、該第１のパルスの第１の幅に対応する第１の量を有し、該第２の電流は、該第２のパルスの第２の幅に対応する第２の量を有し、該第１のパルスの幅は、整流を阻止し、第１の電極と第２の電極との間の電荷移動の平衡を保つために、該第２のパルスの幅に対応する、項目７３に記載の方法。
（項目７５）
前記第１の光パルスは、前記一対の電極に連結される第１の検出器に連結される第１の光波長を含み、前記第２の光パルスは、該一対の電極に連結される第２の検出器に連結される第２の光波長を含み、該第１の検出器は、該第２の検出器の反対の対に連結される、項目７４に記載の方法。
（項目７６）
使用者のための人工聴覚を提供する方法であって、該方法は、
該使用者の鼓膜を切開することであって、該鼓膜は輪を含む、ことと、
電極アレイ、少なくとも１つの光検出器、およびデマルチプレクサを該切開部に通すことと
を含む、方法。
（項目７７）
前記切開部は、少なくとも部分的に前記輪を通って延在する、項目７６に記載の方法。
（項目７８）
前記鼓膜は、前記電極アレイ、前記デマルチプレクサ、および前記少なくとも１つの光検出器を前記切開部に通すように外耳道の片側に配置される、項目７６に記載の方法。
（項目７９）
前記少なくとも１つの検出器および前記デマルチプレクサは、前記使用者の前記中耳に装着される、項目８０に記載の方法。
（項目８０）
前記電極アレイは、円形の窓を通して少なくとも部分的に配置され、前記少なくとも１つの検出器および前記デマルチプレクサは、前記使用者の中耳の中に配置される、項目７６に記載の方法。
（項目８１）
前記少なくとも１つの検出器および前記デマルチプレクサは、前記使用者の前記中耳に装着される、項目８０に記載の方法。
（項目８２）
前記少なくとも１つの光検出器は、少なくとも３つの光検出器を備える、項目７６に記載の方法。
（項目８３）
前記デマルチプレクサは、光デマルチプレクサを備える、項目８２に記載の方法。
（項目８４）
前記光デマルチプレクサは、少なくとも３つの光波長を分離するために少なくとも３つのフィルタを備える、項目８３に記載の方法。
（項目８５）
前記デマルチプレクサは、スイッチング回路およびタイマを備える、項目７６に記載の方法。
（項目８６）
前記切開部を通過させられる前記電極アレイ、前記少なくとも１つの光検出器、および前記デマルチプレクサは、ＭＲＩ造影のために構成される実質的に非磁性の材料を備える、項目７６に記載の方法。
（項目８７）
前記少なくとも１つの光検出器は、前記鼓膜の後方部分を通して伝送される光エネルギーを受信するように前記中耳腔の中に配置される、項目７６に記載の方法。
（項目８８）
組織を刺激するデバイスであって、該デバイスは、
多重化光信号を生成する手段と、前記光信号に応じて組織を刺激する手段と
を備える、デバイス。
本発明は、概して、電極を用いた組織刺激に関し、より具体的には、聴力のための蝸牛の刺激に関する。特に蝸牛インプラントに言及するが、本発明の実施形態は、例えば、筋肉、神経、および神経組織の刺激によって組織が刺激される多くの用途、例えば、パーキンソン病の治療において使用することができる。